(57)【要約】【課題】  トリガー部材のカバー部を開放できるように、カバー部基板の上方壁にカバー板をヒンジを介して結合したトリガー式噴霧器を提供すること。【解決手段】  保持体と逆Ｌ字形のポンプとトリガー部材を具えたトリガー式噴霧器であって、保持体は、容器体に螺合する取付部と、ポンプの嵌着筒と、上方に枢着軸を設け、平行な板体からなる支持部とを具えており、ポンプは、逆Ｌ字形状のピストン部と噴霧ノズルとを具え、ピストン部の折曲げ部に、押下げ軸と保持体の板体の間に挿入される廻動防止片が設けられ、トリガー部材は、指掛け部と、ヒンジを介して開放可能なカバー部とから構成され、カバー部は、保持体の枢着軸に廻動可能に軸支されているとともに、ポンプの押下げ軸に係合する係合溝が設けられていることを特徴とする。【選択図】  図１
2010051937.tif 000002
【特許請求の範囲】
【請求項１】
保持体と逆Ｌ字形のポンプとトリガー部材を具えたトリガー式噴霧器であって、
保持体は、容器体に螺合する取付部と、ポンプの嵌着筒と、上方に枢着軸を設け、平行な板体からなる支持部とを具えており、
ポンプは、逆Ｌ字形状のピストン部と噴霧ノズルとを具え、ピストン部の折曲げ部に、押下げ軸と保持体の板体の間に挿入される廻動防止片が設けられ、
トリガー部材は、指掛け部と、ヒンジを介して開放可能なカバー部とから構成され、
カバー部は、保持体の枢着軸に廻動可能に軸支されているとともに、ポンプの押下げ軸に係合する係合溝が設けられていることを特徴とするトリガー式噴霧器。
【請求項２】
トリガー部材のカバー部が、基板と基板に設けられた上方壁にヒンジを介して連設されたカバー板とからなり、
基板に嵌合筒が立設され、カバー板に嵌合筒に嵌合する嵌合ピンが突設されていることを特徴とする請求項１記載のトリガー式噴霧器。
【請求項３】
トリガー部材のカバー部が、基板とカバー板とからなり、
基板とカバー板は、それぞれ中央部に押下げ軸に係合する係合溝を凹設し、
カバー部の後端部に枢着軸に嵌合する軸受け孔が設けられていることを特徴とする請求項１記載のトリガー式噴霧器。
【発明の詳細な説明】
【技術分野】
【０００１】
本発明は、シャンプー、リンス、化粧品、薬品等の液体を噴出するのに適したトリガー式噴霧器に関するものである。
【背景技術】
【０００２】
ポンプの装着筒（６）から上外方に突出するアーム（７）先端部に、トリガー（１１）を廻動自在に挿着し、トリガー（１１）の中間部をノズルヘッド（３）に設けたピン軸（５）に係合させ、トリガー（１１）の引寄せ操作に応じてノズルヘッド（３）を押下げ操作するようにしたトリガー式噴霧器は、従来より知られている（例えば、特許文献１参照）。
【特許文献１】特願２００７−１６７８０１号公報
【発明の開示】
【発明が解決しようとする課題】
【０００３】
しかしながら、上記特許文献１記載の従来のトリガー式噴霧器では、トリガー式噴霧器の組立時に、トリガー部材のノズル挿通孔にノズルヘッド（３）を通して、ノズルヘッド（３）とトリガー（１１）とを仮セットし、仮セットの状態で嵌着筒（６）を容器体に装着していた。
そのため、組立位置が不安定になり、組立が容易ではないという問題があった。
【０００４】
本発明は、上記問題を解決することを課題とし、トリガー部材のカバー部を開放できるように、カバー部基板の上方壁にカバー板をヒンジを介して結合したトリガー式噴霧器を提供することを目的とする。
【課題を解決するための手段】
【０００５】
本発明は、上記の問題を解決するため、トリガー式噴霧器として。保持体と逆Ｌ字形のポンプとトリガー部材を具えたトリガー式噴霧器であって、保持体は、容器体に螺合する取付部と、ポンプの嵌着筒と、上方に枢着軸を設け、平行な板体からなる支持部とを具えており、ポンプは、逆Ｌ字形状のピストン部と噴霧ノズルとを具え、ピストン部の折曲げ部に、押下げ軸と保持体の板体の間に挿入される廻動防止片が設けられ、トリガー部材は、指掛け部と、ヒンジを介して開放可能なカバー部とから構成され、カバー部は、保持体の枢着軸に廻動可能に軸支されているとともに、ポンプの押下げ軸に係合する係合溝が設けられていることを特徴とする構成を採用する。
【０００６】
トリガー部材の実施例として、トリガー部材のカバー部が、基板と基板に設けられた上方壁にヒンジを介して連設されたカバー板とからなり、基板に嵌合筒が立設され、カバー板に嵌合筒に嵌合する嵌合ピンが突設されていることを特徴とする構成、トリガー部材のカバー部が、基板とカバー板とからなり、基板とカバー板は、それぞれ中央部に押下げ軸に係合する係合溝を凹設し、カバー部の後端部に枢着軸に嵌合する軸受け孔が設けられていることを特徴とする構成を採用する。
【発明の効果】
【０００７】
トリガー部材のカバー部の片側面が開放できるように、基板の上方壁にカバー板をヒンジ結合することにより、噴霧器の組立時に、トリガー部材にポンプの逆Ｌ字形状のピストン部を通し、トリガーとポンプを仮セットする必要性がなくなり、組立が容易となった。
【発明を実施するための最良の形態】
【０００８】
次に、本発明のトリガー式噴霧器について、図面を参照して説明する。
図１〜４において、Ａは保持体、Ｂは逆Ｌ字形状のポンプ、Ｃはトリガー部材、Ｄは容器体である。
【０００９】
図１、２に示すように、保持体Ａは、容器体Ｄに螺合する取付部１とポンプＢの嵌着筒２と、嵌着筒２から斜め上方に延び、平行な二枚の板から形成される支持部３とを具え、支持部３の上方には、板体から突出する枢着軸４が設けられている。
【００１０】
ポンプＢは、シリンダー５と逆Ｌ字形状のピストン部６を具えており、シリンダー５には、縦方向に延びるピストン部６ａが嵌挿され、ピストン部６ａの上端から横方向に延びるピストン部６ｂの先端には、噴霧ノズル７が取着されている。  
ポンプＢとして、ピストン部６の押下げ操作に応じて、容器体Ｄから吸い上げた内容液を、噴霧ノズル７から噴出できる周知の構成のポンプが用いられる。
【００１１】
ピストン部６の折曲げ部８の前後面には、押下げ軸９が突設され、横方向のピストン部６ｂには、その下端部から湾曲して下方に延び、支持部３の板体の間に挿入される廻動防止片１０が連設されている。
【００１２】
図１、３に示すように、トリガー部材Ｃは、指掛け部１１とカバー部１２とから構成され、指掛け部１１は、正面側を指当て面１１ａとし、両側面を折曲げたコの字状の切断面を形成している。
指当て面１１ａは、両側面より上方に延びており、一方の側面１１ｂは、カバー部１２の基板１２ａに連設されている。
【００１３】
カバー部１２は、基板１２ａとカバー板１２ｂとからなり、基板１２ａは、指掛け部１１の一方の側面１１ｂに連設され、上方には、指当て面１１ａとの間に噴霧ノズル７が挿入できる間隔をおいて、上方壁１３が突設されている。
上方壁１３の上端部には、ヒンジ１４を介して基板１２ａと同形状のカバー板１２ｂが連設されている。
【００１４】
基板１２ａには、中央部にポンプＢの押下げ軸９に係合する係合溝１５が凹設され、その前後にカバー板１２ｂを結合する二つの嵌合筒１６が立設されている。
基板１２ａの後端部には、支持部３の枢着軸４の一端に嵌合する軸受け孔１７が凹設されている。
カバー板１２ｂには、基板１２ａの対称位置に押下げ軸９に係合する係合溝１５ａが凹設され、二つの嵌合筒１６のそれぞれに嵌合する嵌合ピン１８が突設されている。
また、後端部には、枢着軸４の他端に嵌合する軸受け孔１７ａが凹設されている。
【００１５】
次に、本発明のトリガー式噴霧器の作用効果について、説明する。
本トリガー式噴霧器の組立にあたっては、図２に示すように、保持体ＡにポンプＢを挿着し、容器体Ｄの口部に取付部１を螺合してポンプＢを容器体Ｄに装着する。
【００１６】
次いで、図４に示すように、トリガー部材Ｃを、カバー部１２を基板１２ａとカバー板１２ｂが開放された状態で、基板１２ａの係合溝１５ａをピストン部６の押下げ軸９に、軸受け孔１７ａを枢着軸４の端部に嵌挿し、指掛け部１１を噴霧ノズル７の下方に位置させて、上方壁１３との間にピストン部６が挿入される。
【００１７】
次いで、カバー板１２ｂを、ヒンジ１４を介して廻動させ、係合溝１５ａを押下げ軸９に、軸受け孔１７ａを枢着軸４の一端に嵌合し、嵌合ピン１８を基板１２ａの嵌合筒１６に嵌合させることによって、トリガー部材Ｃを、ポンプＢと保持体Ａに装着することができる。
【００１８】
組立にあたっては、ポンプＢのピストン部６に設けられた廻動防止片１０が、保持体Ａの支持部３の板体の間に挿入されるので、ポンプＢの装着は容易に行われる。
さらに、トリガー部材Ｃが、ヒンジ１４を介して連設され、開閉自在であるので、トリガー部材Ｃの装着がきわめて容易に行われるようになった。
【００１９】
また、カバー部１２が、嵌合筒１６と嵌合ピン１８によって強固に結合されるので、トリガー部材Ｃの揺動がスムースに行われるようになった。
【００２０】
噴霧器の使用にあたっては、指掛け部１１を引寄せると、トリガー部材Ｃは、枢着軸４を中心に廻動し、係合溝１５、１５ａがポンプＢに設けた押下げ軸９を押下げ、指掛け部１１から手指を離すと、ピストン部６が上昇するので、トリガー部材Ｃの引寄せ操作に応じて、内容液を噴霧ノズル７から噴出することができる。
【００２１】
上記実施例では、カバー部１２の基板１２ａに対して、カバー板１２ｂをヒンジ１４を介して連設しているが、ヒンジ１４を設けないで、カバー板１２ｂを嵌合筒１６と嵌合ピン１８との嵌合によって結合するようにしてもよい。
また、前記実施例では、ポンプＢの押下げ軸９にトリガー部材Ｃの係合溝１５、１５ａを係合させたが、それらの部材をなくし、上方壁１３をピストン部６ｂの上面に係合させるようにしてもよい。
【００２２】
前記実施例では、噴霧ノズルを用いてトリガー式噴霧器としたが、噴霧ノズルに代え、注出ノズルを取付け、内容液を注出するようにしてもよい。
【産業上の利用可能性】
【００２３】
本発明は、トリガー部材のカバー部の片側面が開放できるように、カバー板を上方壁にヒンジ結合するようにしているので、組立時に、トリガー部材にポンプのＬ字形のピストン部を通し、トリガーとポンプを仮セットする必要性がなくなり、組立が容易となったので、噴霧器を始め、吐出ノズルなどトリガー部材を有するポンプとして広く利用できる。
【図面の簡単な説明】
【００２４】
【図１】本発明のトリガー式噴霧器の立面図である。
【図２】トリガー式噴霧器の保持部にポンプを装置したときの立面図である。
【図３】トリガー部材のカバー部を開放した状態の立面図である。
【図４】容器体にポンプとトリガー部材を装着したときの立面図である。
【符号の説明】
【００２５】
Ａ      保持体
Ｂ      ポンプ
Ｃ      トリガー部材
Ｄ      容器体
１      取付部
２      嵌着筒    
３      支持部        
４      枢着軸
５      シリンダー
６、６ａ、６ｂ  ピストン部
７      噴霧ノズル
８      折曲げ部
９      押下げ軸
１０    廻動防止片
１１    指掛け部
１１ａ  指当て面
１１ｂ  側面
１２    カバー部
１２ａ  基板
１２ｂ  カバー板
１３    上方壁
１４    ヒンジ
１５、１５ａ  係合溝
１６    嵌合筒
１７、１７ａ  軸受け孔
１８    嵌合ピン
【図１】
2010051937.tif 000003
【図２】
2010051937.tif 000004
【図３】
2010051937.tif 000005
【図４】
2010051937.tif 000006